【手続補正書】
【提出日】平成18年8月2日(2006.8.2)
【手続補正１】
【補正対象書類名】特許請求の範囲
【補正対象項目名】全文
【補正方法】変更
【補正の内容】
【特許請求の範囲】
【請求項１】
（１）ＰＯＥ、ＰＡＧ、およびＰＶＥよりなる群から選択される少なくとも１つの冷却潤滑剤と、
（２）ポリオキシアルキレングリコールエーテル、アミド、ニトリル、クロロカーボン、アリールエーテル、１，１，１−トリフルオロアルカン、フルオロエーテル、ラクトン、エステル、クラウン化合物、シクロデキストリン、およびカリックスアレーンよりなる群から選択される少なくとも１つの添加剤と
を含むことを特徴とする組成物。
【請求項２】
（ａ）ヒドロフルオロカーボン、ペルフルオロカーボン、ヒドロフルオロエーテル、アンモニア、および二酸化炭素よりなる群から選択される少なくとも１つの冷却剤と、
（ｂ）ＰＯＥ、ＰＡＧ、およびＰＶＥよりなる群から選択される少なくとも１つの冷却潤滑剤と、
（ｃ）ポリオキシアルキレングリコールエーテル、アミド、ニトリル、クロロカーボン、アリールエーテル、１，１，１−トリフルオロアルカン、フルオロエーテル、ラクトン、エステル、クラウン化合物、シクロデキストリン、およびカリックスアレーンよりなる群から選択される少なくとも１つの添加剤と
を含むことを特徴とする組成物。
【請求項３】
ＰＯＥ、ＰＡＧ、またはＰＶＥ潤滑剤を含有する、圧縮冷却および空調装置における使用のための組成物であって、前記冷却剤組成物が、
（ａ）ヒドロフルオロカーボン、ペルフルオロカーボン、ヒドロフルオロエーテル、アンモニア、および二酸化炭素よりなる群から選択される少なくとも１つの冷却剤と、
（ｂ）ポリオキシアルキレングリコールエーテル、アミド、ニトリル、クロロカーボン、アリールエーテル、１，１，１−トリフルオロアルカン、フルオロエーテル、ラクトン、エステル、クラウン化合物、シクロデキストリン、およびカリックスアレーンよりなる群から選択される少なくとも１つの添加剤と
を含むことを特徴とする組成物。
【請求項４】
ＨＦＣ、ＰＦＣ、ＨＦＥ、アンモニア、および／または二酸化炭素冷却剤と、ＰＯＥ、ＰＡＧ、およびＰＶＥよりなる群から選択される冷却潤滑剤とを含有する圧縮冷却および／または空調装置系統を用いた冷却の生成方法であって、有効量の添加剤の存在下に前記潤滑剤とともに前記冷却剤を蒸発させる工程を含み、前記添加剤が、
（ｉ）式Ｒ１［（ＯＲ２）ｘＯＲ３］ｙ（式中、ｘは、１から３の整数から選択され；ｙは１から４の整数から選択され；Ｒ１は、水素と、１から６個の炭素原子とｙ個の結合部位とを有する脂肪族炭化水素基とから選択され；Ｒ２は、３から４個の炭素原子を有する脂肪族ヒドロカルビレン基から選択され；Ｒ３は、水素と、１から６個の炭素原子を有する脂肪族および脂環式炭化水素基とから選択され；Ｒ１およびＲ３の少なくとも１つが、前記炭化水素基から選択される）によって表わされるポリオキシアルキレングリコールエーテルであって、約１００から約３００原子質量単位の分子量、および約２．３から約５．０の炭素対酸素比を有するポリオキシアルキレングリコールエーテル；
（ｉｉ）式Ｒ１ＣＯＮＲ２Ｒ３およびシクロ−［Ｒ４ＣＯＮ（Ｒ５）−］（式中、Ｒ１、Ｒ２、Ｒ３、およびＲ５は、独立して、１から１２個の炭素原子を有する脂肪族および脂環式炭化水素基から選択され；Ｒ４は、３から１２個の炭素原子を有する脂肪族ヒドロカルビレン基から選択される）によって表わされるアミドであって、約１２０から約３００原子質量単位の分子量、および約７から約２０の炭素対酸素比を有するアミド；
（ｉｉｉ）式Ｒ１ＣＮ（式中、Ｒ１は、５から１２個の炭素原子を有する脂肪族、脂環式、またはアリール炭化水素基から選択される）によって表わされるニトリルであって、約９０から約２００原子質量単位の分子量、および約６から約１２の炭素対窒素比を有するニトリル；
（ｉｖ）式ＲＣｌｘ（式中、ｘは、１または２の整数から選択され；Ｒは、１から１２個の炭素原子を有する脂肪族および脂環式炭化水素基から選択される）によって表わされるクロロカーボンであって、約１００から約２００原子質量単位の分子量、および約２から約１０の炭素対塩素比を有するクロロカーボン；
（ｖ）式Ｒ１ＯＲ２（式中、Ｒ１は、６から１２個の炭素原子を有するアリール炭化水素基から選択され；Ｒ２は、１から４個の炭素原子を有する脂肪族炭化水素基から選択される）によって表わされるアリールエーテルであって、約１００から約２５０原子質量単位の分子量、および約４から約２０の炭素対酸素比を有するアリールエーテル；
（ｖｉ）式ＣＦ３Ｒ１（式中、Ｒ１は、約５から約１５個の炭素原子を有する脂肪族および脂環式炭化水素基から選択される）によって表わされる１，１，１−トリフルオロアルカン；
（ｖｉｉ）式Ｒ１ＯＣＦ２ＣＦ２Ｈ（式中、Ｒ１は、約５から約１５個の炭素原子を有する脂肪族および脂環式炭化水素基から選択される）によって表わされるフルオロエーテル；
（ｖｉｉｉ）式Ｉ、ＩＩ、およびＩＩＩ：
【化１】
2005535755.tif 000001
（式中、Ｒ１からＲ８は、独立して、水素、線状、分枝状、環式、二環式、飽和および不飽和ヒドロカルビル基から選択される）によって表わされる化合物よりなる群から選択されるラクトンであって、炭素対エステル官能基カルボニル酸素比が、約５から約１５であり、分子量が、約８０から約３００原子質量単位であるラクトン；
（ｉｘ）一般式Ｒ１ＣＯ２Ｒ２（式中、Ｒ１およびＲ２は、独立して、線状および環式、飽和および不飽和アルキルおよびアリール基から選択される）によって表わされるエステルであって、約８０から約５５０原子質量単位の分子量、および約５から約１５の炭素対エステル官能基カルボニル酸素比を有するエステル；および
（ｘ）環状構造において接合されている反復単位−（ＣＨ２−ＣＨ２−Ｙ）ｎ−（式中、Ｙは、ヘテロ原子、例えば酸素、窒素、または硫黄であり、ｎは２よりも大きい）を有するクラウン化合物；
（ｘｉ）環状構造において連結されている、式ＩＶ：
【化２】
2005535755.tif 000002
（式中、各Ｒ基は、独立して、水素と、または１０個までの炭素原子を有する線状、分枝状、環式、二環式、飽和および不飽和ヒドロカルビル基とから選択され、ｎは、６、７、または８に等しい）によって表わされる反復単位を有するシクロデキストリン；
（ｘｉｉ）環状構造において連結されている、式Ｖ：
【化３】
2005535755.tif 000003
（式中、各Ｒ１およびＲ２基は、独立して、水素、１０個までの炭素原子を有する線状、分枝状、環式、二環式、飽和および不飽和ヒドロカルビル基から選択され、ｎ＝４、５、６、７、または８である）によって表わされる反復単位を有するカリックスアレーン
よりなる群から選択されることを特徴とする方法。
【請求項５】
ヒドロフルオロカーボン、ペルフルオロカーボン、ヒドロフルオロエーテル、アンモニア、および二酸化炭素よりなる群から選択される少なくとも１つの冷却剤と、ＰＯＥ、ＰＡＧ、およびＰＶＥよりなる群から選択される少なくとも１つの冷却潤滑剤とを含む冷却組成物を含有する圧縮冷却および／または空調装置のエネルギー効率および／または容量の改良方法であって、
（ｉ）式Ｒ１［（ＯＲ２）ｘＯＲ３］ｙ（式中、ｘは、１から３の整数から選択され；ｙは１から４の整数から選択され；Ｒ１は、水素と、１から６個の炭素原子とｙ個の結合部位とを有する脂肪族炭化水素基とから選択され；Ｒ２は、３から４個の炭素原子を有する脂肪族ヒドロカルビレン基から選択され；Ｒ３は、水素と、１から６個の炭素原子を有する脂肪族および脂環式炭化水素基とから選択され；Ｒ１およびＲ３の少なくとも１つが、前記炭化水素基から選択される）によって表わされるポリオキシアルキレングリコールエーテルであって、約１００から約３００原子質量単位の分子量、および約２．３から約５．０の炭素対酸素比を有するポリオキシアルキレングリコールエーテル；
（ｉｉ）式Ｒ１ＣＯＮＲ２Ｒ３およびシクロ−［Ｒ４ＣＯＮ（Ｒ５）−］（式中、Ｒ１、Ｒ２、Ｒ３、およびＲ５は、独立して、１から１２個の炭素原子を有する脂肪族および脂環式炭化水素基から選択され；Ｒ４は、３から１２個の炭素原子を有する脂肪族ヒドロカルビレン基から選択される）によって表わされるアミドであって、約１２０から約３００原子質量単位の分子量、および約７から約２０の炭素対酸素比を有するアミド；
（ｉｉｉ）式Ｒ１ＣＮ（式中、Ｒ１は、５から１２個の炭素原子を有する脂肪族、脂環式、またはアリール炭化水素基から選択される）によって表わされるニトリルであって、約９０から約２００原子質量単位の分子量、および約６から約１２の炭素対窒素比を有するニトリル；
（ｉｖ）式ＲＣｌｘ（式中、ｘは、１または２の整数から選択され；Ｒは、１から１２個の炭素原子を有する脂肪族および脂環式炭化水素基から選択される）によって表わされるクロロカーボンであって、約１００から約２００原子質量単位の分子量、および約２から約１０の炭素対塩素比を有するクロロカーボン；
（ｖ）式Ｒ１ＯＲ２（式中、Ｒ１は、６から１２個の炭素原子を有するアリール炭化水素基から選択され；Ｒ２は、１から４個の炭素原子を有する脂肪族炭化水素基から選択される）によって表わされるアリールエーテルであって、約１００から約２５０原子質量単位の分子量、および約４から約２０の炭素対酸素比を有するアリールエーテル；
（ｖｉ）式ＣＦ３Ｒ１（式中、Ｒ１は、約５から約１５個の炭素原子を有する脂肪族および脂環式炭化水素基から選択される）によって表わされる１，１，１−トリフルオロアルカン；および
（ｖｉｉ）式Ｒ１ＯＣＦ２ＣＦ２Ｈ（式中、Ｒ１は、約５から約１５個の炭素原子を有する脂肪族および脂環式炭化水素基から選択される）によって表わされるフルオロエーテル；
（ｖｉｉｉ）式Ｉ、ＩＩ、およびＩＩＩ：
【化４】
2005535755.tif 000004
（式中、Ｒ１からＲ８は、独立して、水素、線状、分枝状、環式、二環式、飽和および不飽和ヒドロカルビル基から選択される）によって表わされる化合物よりなる群から選択されるラクトンであって、炭素対エステル官能基カルボニル酸素比が、約５から約１５であり、分子量が、約８０から約３００原子質量単位であるラクトン；
（ｉｘ）一般式Ｒ１ＣＯ２Ｒ２（式中、Ｒ１およびＲ２は、独立して、線状および環式、飽和および不飽和アルキルおよびアリール基から選択される）によって表わされるエステルであって、約８０から約５５０原子質量単位の分子量、および約５から約１５の炭素対エステル官能基カルボニル酸素比を有するエステル；および
（ｘ）環状構造において接合されている反復単位−（ＣＨ２−ＣＨ２−Ｙ）ｎ−（式中、Ｙは、ヘテロ原子、例えば酸素、窒素、または硫黄であり、ｎは２よりも大きい）を有するクラウン化合物；
（ｘｉｉ）環状構造において連結されている、式ＩＶ：
【化５】
2005535755.tif 000005
（式中、各Ｒ基は、独立して、水素と、または１０個までの炭素原子を有する線状、分枝状、環式、二環式、飽和および不飽和ヒドロカルビル基とから選択され、ｎは、６、７、または８に等しい）によって表わされる反復単位を有するシクロデキストリン；
（ｘｉｉｉ）環状構造において連結されている、式Ｖ：
【化６】
2005535755.tif 000006
（式中、各Ｒ１およびＲ２基は、独立して、水素、１０個までの炭素原子を有する線状、分枝状、環式、二環式、飽和および不飽和ヒドロカルビル基から選択され、ｎ＝４、５、６、７、または８である）によって表わされる反復単位を有するカリックスアレーン
よりなる群から選択される少なくとも１つの添加剤を、前記圧縮冷却および／または空調装置に添加する工程を含むことを特徴とする方法。
【手続補正２】
【補正対象書類名】明細書
【補正対象項目名】００７６
【補正方法】変更
【補正の内容】
【００７６】
結果は、ｎ−オクチルピロリジン−２−オンが、Ｒ１３４ａ／ＰＯＥ１０に添加される時の、エネルギー効率の改良を示している。ｎ−オクチルピロリジン−２−オンの性能もまた、テトラグライムに対して驚くほど改良されている。
以下に、本発明の好ましい態様を示す。
［１］  （１）ＰＯＥ、ＰＡＧ、およびＰＶＥよりなる群から選択される少なくとも１つの冷却潤滑剤と、
（２）ポリオキシアルキレングリコールエーテル、アミド、ニトリル、クロロカーボン、アリールエーテル、１，１，１−トリフルオロアルカン、フルオロエーテル、ラクトン、エステル、クラウン化合物、シクロデキストリン、およびカリックスアレーンよりなる群から選択される少なくとも１つの添加剤と
を含むことを特徴とする組成物。
［２］  （ａ）ヒドロフルオロカーボン、ペルフルオロカーボン、ヒドロフルオロエーテル、アンモニア、および二酸化炭素よりなる群から選択される少なくとも１つの冷却剤と、
（ｂ）ＰＯＥ、ＰＡＧ、およびＰＶＥよりなる群から選択される少なくとも１つの冷却潤滑剤と、
（ｃ）ポリオキシアルキレングリコールエーテル、アミド、ニトリル、クロロカーボン、アリールエーテル、１，１，１−トリフルオロアルカン、フルオロエーテル、ラクトン、エステル、クラウン化合物、シクロデキストリン、およびカリックスアレーンよりなる群から選択される少なくとも１つの添加剤と
を含むことを特徴とする組成物。
［３］  ＰＯＥ、ＰＡＧ、またはＰＶＥ潤滑剤を含有する、圧縮冷却および空調装置における使用のための組成物であって、前記冷却剤組成物が、
（ａ）ヒドロフルオロカーボン、ペルフルオロカーボン、ヒドロフルオロエーテル、アンモニア、および二酸化炭素よりなる群から選択される少なくとも１つの冷却剤と、
（ｂ）ポリオキシアルキレングリコールエーテル、アミド、ニトリル、クロロカーボン、アリールエーテル、１，１，１−トリフルオロアルカン、フルオロエーテル、ラクトン、エステル、クラウン化合物、シクロデキストリン、およびカリックスアレーンよりなる群から選択される少なくとも１つの添加剤と
を含むことを特徴とする組成物。
［４］  前記添加剤が、
（ｉ）式Ｒ１［（ＯＲ２）ｘＯＲ３］ｙ（式中、ｘは、１から３の整数から選択され；ｙは１から４の整数から選択され；Ｒ１は、水素と、１から６個の炭素原子とｙ個の結合部位とを有する脂肪族炭化水素基とから選択され；Ｒ２は、３から４個の炭素原子を有する脂肪族ヒドロカルビレン基から選択され；Ｒ３は、水素と、１から６個の炭素原子を有する脂肪族および脂環式炭化水素基とから選択され；Ｒ１およびＲ３の少なくとも１つが、前記炭化水素基から選択される）によって表わされるポリオキシアルキレングリコールエーテルであって、約１００から約３００原子質量単位の分子量、および約２．３から約５．０の炭素対酸素比を有するポリオキシアルキレングリコールエーテル；
（ｉｉ）式Ｒ１ＣＯＮＲ２Ｒ３およびシクロ−［Ｒ４ＣＯＮ（Ｒ５）−］（式中、Ｒ１、Ｒ２、Ｒ３、およびＲ５は、独立して、１から１２個の炭素原子を有する脂肪族および脂環式炭化水素基から選択され；Ｒ４は、３から１２個の炭素原子を有する脂肪族ヒドロカルビレン基から選択される）によって表わされるアミドであって、約１２０から約３００原子質量単位の分子量、および約７から約２０の炭素対酸素比を有するアミド；
（ｉｉｉ）式Ｒ１ＣＮ（式中、Ｒ１は、５から１２個の炭素原子を有する脂肪族、脂環式、またはアリール炭化水素基から選択される）によって表わされるニトリルであって、約９０から約２００原子質量単位の分子量、および約６から約１２の炭素対窒素比を有するニトリル；
（ｉｖ）式ＲＣｌｘ（式中、ｘは、１または２の整数から選択され；Ｒは、１から１２個の炭素原子を有する脂肪族および脂環式炭化水素基から選択される）によって表わされるクロロカーボンであって、約１００から約２００原子質量単位の分子量、および約２から約１０の炭素対塩素比を有するクロロカーボン；
（ｖ）式Ｒ１ＯＲ２（式中、Ｒ１は、６から１２個の炭素原子を有するアリール炭化水素基から選択され；Ｒ２は、１から４個の炭素原子を有する脂肪族炭化水素基から選択される）によって表わされるアリールエーテルであって、約１００から約２５０原子質量単位の分子量、および約４から約２０の炭素対酸素比を有するアリールエーテル；
（ｖｉ）式ＣＦ３Ｒ１（式中、Ｒ１は、約５から約１５個の炭素原子を有する脂肪族および脂環式炭化水素基から選択される）によって表わされる１，１，１−トリフルオロアルカン；および
（ｖｉｉ）式Ｒ１ＯＣＦ２ＣＦ２Ｈ（式中、Ｒ１は、約５から約１５個の炭素原子を有する脂肪族および脂環式炭化水素基から選択される）によって表わされるフルオロエーテル；
（ｖｉｉｉ）式Ｉ、ＩＩ、およびＩＩＩ：
【化７】
2005535755.tif 000007
（式中、Ｒ１からＲ８は、独立して、水素、線状、分枝状、環式、二環式、飽和および不飽和ヒドロカルビル基から選択される）によって表わされる化合物の群から選択されるラクトンであって、炭素対エステル官能基カルボニル酸素比が、約５から約１５であり、分子量が、約８０から約３００原子質量単位であるラクトン；
（ｉｘ）一般式Ｒ１ＣＯ２Ｒ２（式中、Ｒ１およびＲ２は、独立して、線状および環式、飽和および不飽和アルキルおよびアリール基から選択される）によって表わされるエステルであって、約８０から約５５０原子質量単位の分子量、および約５から約１５の炭素対エステル官能基カルボニル酸素比を有するエステル；および
（ｘ）環状構造において接合されている反復単位−（ＣＨ２−ＣＨ２−Ｙ）ｎ−（式中、Ｙはヘテロ原子、例えば酸素、窒素、または硫黄であり、ｎは２よりも大きい）を有するクラウン化合物；
（ｘｉ）環状構造において連結されている、式ＩＶ：
【化８】
2005535755.tif 000008
（式中、各Ｒ基は、独立して、水素と、または１０個までの炭素原子を有する線状、分枝状、環式、二環式、飽和および不飽和ヒドロカルビル基とから選択され、ｎは、６、７、または８に等しい）によって表わされる反復単位を有するシクロデキストリン；
（ｘｉｉ）環状構造において連結されている、式Ｖ：
【化９】
2005535755.tif 000009
（式中、各Ｒ１およびＲ２基は、独立して、水素、１０個までの炭素原子を有する線状、分枝状、環式、二環式、飽和および不飽和ヒドロカルビル基から選択され、ｎ＝４、５、６、７、または８である）によって表わされる反復単位を有するカリックスアレーン
よりなる群から選択される少なくとも１つであることを特徴とする［１］に記載の組成物。
［５］  前記添加剤が、
（ｉ）式Ｒ１［（ＯＲ２）ｘＯＲ３］ｙ（ｘは、１から３の整数から選択され；ｙは、１から４の整数から選択され；Ｒ１は、水素と、１から６個の炭素原子とｙ個の結合部位とを有する脂肪族炭化水素基とから選択され；Ｒ２は、３から４個の炭素原子を有する脂肪族ヒドロカルビレン基から選択され；Ｒ３は、水素と、１から６個の炭素原子を有する脂肪族および脂環式炭化水素基とから選択され；Ｒ１およびＲ３の少なくとも１つが、前記炭化水素基から選択される）によって表わされるポリオキシアルキレングリコールエーテルであって、約１００から約３００原子質量単位の分子量、および約２．３から約５．０の炭素対酸素比を有するポリオキシアルキレングリコールエーテル；
（ｉｉ）式Ｒ１ＣＯＮＲ２Ｒ３およびシクロ−［Ｒ４ＣＯＮ（Ｒ５）−］（式中、Ｒ１、Ｒ２、Ｒ３、およびＲ５は、独立して、１から１２個の炭素原子を有する脂肪族および脂環式炭化水素基から選択され；Ｒ４は、３から１２個の炭素原子を有する脂肪族ヒドロカルビレン基から選択される）によって表わされるアミドであって、約１２０から約３００原子質量単位の分子量、および約７から約２０の炭素対酸素比を有するアミド；
（ｉｉｉ）式Ｒ１ＣＮ（式中、Ｒ１は、５から１２個の炭素原子を有する脂肪族、脂環式、またはアリール炭化水素基から選択される）によって表わされるニトリルであって、約９０から約２００原子質量単位の分子量、および約６から約１２の炭素対窒素比を有するニトリル；
（ｉｖ）式ＲＣｌｘ（式中、ｘは、１または２の整数から選択され；Ｒは、１から１２個の炭素原子を有する脂肪族および脂環式炭化水素基から選択される）によって表わされるクロロカーボンであって、約１００から約２００原子質量単位の分子量、および約２から約１０の炭素対塩素比を有するクロロカーボン；
（ｖ）式Ｒ１ＯＲ２（式中、Ｒ１は、６から１２個の炭素原子を有するアリール炭化水素基から選択され；Ｒ２は、１から４個の炭素原子を有する脂肪族炭化水素基から選択される）によって表わされるアリールエーテルであって、約１００から約２５０原子質量単位の分子量、および約４から約２０の炭素対酸素比を有するアリールエーテル；
（ｖｉ）式ＣＦ３Ｒ１（式中、Ｒ１は、約５から約１５個の炭素原子を有する脂肪族および脂環式炭化水素基から選択される）によって表わされる１，１，１−トリフルオロアルカン；および
（ｖｉｉ）式Ｒ１ＯＣＦ２ＣＦ２Ｈ（式中、Ｒ１は、約５から約１５個の炭素原子を有する脂肪族および脂環式炭化水素基から選択される）によって表わされるフルオロエーテル；
（ｖｉｉｉ）式Ｉ、ＩＩ、およびＩＩＩ：
【化１０】
2005535755.tif 000010
（式中、Ｒ１からＲ８は、独立して、水素、線状、分枝状、環式、二環式、飽和および不飽和ヒドロカルビル基から選択される）によって表わされる化合物よりなる群から選択されるラクトンであって、炭素対エステル官能基カルボニル酸素比が、約５から約１５であり、分子量が、約８０から約３００原子質量単位であるラクトン；
（ｉｘ）一般式Ｒ１ＣＯ２Ｒ２（式中、Ｒ１およびＲ２は、独立して、線状および環式、飽和および不飽和アルキルおよびアリール基から選択される）によって表わされるエステルであって、約８０から約５５０原子質量単位の分子量、および約５から約１５の炭素対エステル官能基カルボニル酸素比を有するエステル；および
（ｘ）環状構造において接合されている反復単位−（ＣＨ２−ＣＨ２−Ｙ）ｎ−（式中、Ｙは、ヘテロ原子、例えば酸素、窒素、または硫黄であり、ｎは２よりも大きい）を有するクラウン化合物；
（ｘｉ）環状構造において連結されている、式ＩＶ：
【化１１】
2005535755.tif 000011
（式中、各Ｒ基は、独立して、水素と、または１０個までの炭素原子を有する線状、分枝状、環式、二環式、飽和および不飽和ヒドロカルビル基とから選択され、ｎは、６、７、または８に等しい）によって表わされる反復単位を有するシクロデキストリン；
（ｘｉｉ）環状構造において連結されている、式Ｖ：
【化１２】
2005535755.tif 000012
（式中、各Ｒ１およびＲ２基は、独立して、水素、１０個までの炭素原子を有する線状、分枝状、環式、二環式、飽和および不飽和ヒドロカルビル基から選択され、ｎ＝４、５、６、７、または８である）によって表わされる反復単位を有するカリックスアレーン
よりなる群から選択される少なくとも１つであることを特徴とする［２］または［３］に記載の組成物。
［６］  前記潤滑剤が、約４０から約９９重量％であり、前記添加剤が、約１から約６０重量％であることを特徴とする［１］に記載の組成物。
［７］  前記潤滑剤が、約８０から約９９重量％であり、前記添加剤が、約１から約２０重量％であることを特徴とする［１］に記載の組成物。
［８］  ＨＦＣ、ＰＦＣ、ＨＦＥ、アンモニア、および／または二酸化炭素冷却剤と、ＰＯＥ、ＰＡＧ、およびＰＶＥよりなる群から選択される冷却潤滑剤とを含有する圧縮冷却および／または空調装置系統を用いた冷却の生成方法であって、有効量の添加剤の存在下に前記潤滑剤とともに前記冷却剤を蒸発させる工程を含み、前記添加剤が、
（ｉ）式Ｒ１［（ＯＲ２）ｘＯＲ３］ｙ（式中、ｘは、１から３の整数から選択され；ｙは１から４の整数から選択され；Ｒ１は、水素と、１から６個の炭素原子とｙ個の結合部位とを有する脂肪族炭化水素基とから選択され；Ｒ２は、３から４個の炭素原子を有する脂肪族ヒドロカルビレン基から選択され；Ｒ３は、水素と、１から６個の炭素原子を有する脂肪族および脂環式炭化水素基とから選択され；Ｒ１およびＲ３の少なくとも１つが、前記炭化水素基から選択される）によって表わされるポリオキシアルキレングリコールエーテルであって、約１００から約３００原子質量単位の分子量、および約２．３から約５．０の炭素対酸素比を有するポリオキシアルキレングリコールエーテル；
（ｉｉ）式Ｒ１ＣＯＮＲ２Ｒ３およびシクロ−［Ｒ４ＣＯＮ（Ｒ５）−］（式中、Ｒ１、Ｒ２、Ｒ３、およびＲ５は、独立して、１から１２個の炭素原子を有する脂肪族および脂環式炭化水素基から選択され；Ｒ４は、３から１２個の炭素原子を有する脂肪族ヒドロカルビレン基から選択される）によって表わされるアミドであって、約１２０から約３００原子質量単位の分子量、および約７から約２０の炭素対酸素比を有するアミド；
（ｉｉｉ）式Ｒ１ＣＮ（式中、Ｒ１は、５から１２個の炭素原子を有する脂肪族、脂環式、またはアリール炭化水素基から選択される）によって表わされるニトリルであって、約９０から約２００原子質量単位の分子量、および約６から約１２の炭素対窒素比を有するニトリル；
（ｉｖ）式ＲＣｌｘ（式中、ｘは、１または２の整数から選択され；Ｒは、１から１２個の炭素原子を有する脂肪族および脂環式炭化水素基から選択される）によって表わされるクロロカーボンであって、約１００から約２００原子質量単位の分子量、および約２から約１０の炭素対塩素比を有するクロロカーボン；
（ｖ）式Ｒ１ＯＲ２（式中、Ｒ１は、６から１２個の炭素原子を有するアリール炭化水素基から選択され；Ｒ２は、１から４個の炭素原子を有する脂肪族炭化水素基から選択される）によって表わされるアリールエーテルであって、約１００から約２５０原子質量単位の分子量、および約４から約２０の炭素対酸素比を有するアリールエーテル；
（ｖｉ）式ＣＦ３Ｒ１（式中、Ｒ１は、約５から約１５個の炭素原子を有する脂肪族および脂環式炭化水素基から選択される）によって表わされる１，１，１−トリフルオロアルカン；
（ｖｉｉ）式Ｒ１ＯＣＦ２ＣＦ２Ｈ（式中、Ｒ１は、約５から約１５個の炭素原子を有する脂肪族および脂環式炭化水素基から選択される）によって表わされるフルオロエーテル；
（ｖｉｉｉ）式Ｉ、ＩＩ、およびＩＩＩ：
【化１３】
2005535755.tif 000013
（式中、Ｒ１からＲ８は、独立して、水素、線状、分枝状、環式、二環式、飽和および不飽和ヒドロカルビル基から選択される）によって表わされる化合物よりなる群から選択されるラクトンであって、炭素対エステル官能基カルボニル酸素比が、約５から約１５であり、分子量が、約８０から約３００原子質量単位であるラクトン；
（ｉｘ）一般式Ｒ１ＣＯ２Ｒ２（式中、Ｒ１およびＲ２は、独立して、線状および環式、飽和および不飽和アルキルおよびアリール基から選択される）によって表わされるエステルであって、約８０から約５５０原子質量単位の分子量、および約５から約１５の炭素対エステル官能基カルボニル酸素比を有するエステル；および
（ｘ）環状構造において接合されている反復単位−（ＣＨ２−ＣＨ２−Ｙ）ｎ−（式中、Ｙは、ヘテロ原子、例えば酸素、窒素、または硫黄であり、ｎは２よりも大きい）を有するクラウン化合物；
（ｘｉ）環状構造において連結されている、式ＩＶ：
【化１４】
2005535755.tif 000014
（式中、各Ｒ基は、独立して、水素と、または１０個までの炭素原子を有する線状、分枝状、環式、二環式、飽和および不飽和ヒドロカルビル基とから選択され、ｎは、６、７、または８に等しい）によって表わされる反復単位を有するシクロデキストリン；
（ｘｉｉ）環状構造において連結されている、式Ｖ：
【化１５】
2005535755.tif 000015
（式中、各Ｒ１およびＲ２基は、独立して、水素、１０個までの炭素原子を有する線状、分枝状、環式、二環式、飽和および不飽和ヒドロカルビル基から選択され、ｎ＝４、５、６、７、または８である）によって表わされる反復単位を有するカリックスアレーン
よりなる群から選択されることを特徴とする方法。
［９］  ＨＦＣ、ＰＦＣ、ＨＦＥ、アンモニア、および／または二酸化炭素を含有する圧縮冷却および／または空調装置における圧縮機の潤滑方法であって、［１］に記載の組成物を前記圧縮機に添加する工程を含むことを特徴とする方法。
［１０］  ヒドロフルオロカーボン、ペルフルオロカーボン、ヒドロフルオロエーテル、アンモニア、および二酸化炭素よりなる群から選択される少なくとも１つの冷却剤と、ＰＯＥ、ＰＡＧ、およびＰＶＥよりなる群から選択される少なくとも１つの冷却潤滑剤とを含む冷却組成物を含有する圧縮冷却および／または空調装置のエネルギー効率および／または容量の改良方法であって、
（ｉ）式Ｒ１［（ＯＲ２）ｘＯＲ３］ｙ（式中、ｘは、１から３の整数から選択され；ｙは１から４の整数から選択され；Ｒ１は、水素と、１から６個の炭素原子とｙ個の結合部位とを有する脂肪族炭化水素基とから選択され；Ｒ２は、３から４個の炭素原子を有する脂肪族ヒドロカルビレン基から選択され；Ｒ３は、水素と、１から６個の炭素原子を有する脂肪族および脂環式炭化水素基とから選択され；Ｒ１およびＲ３の少なくとも１つが、前記炭化水素基から選択される）によって表わされるポリオキシアルキレングリコールエーテルであって、約１００から約３００原子質量単位の分子量、および約２．３から約５．０の炭素対酸素比を有するポリオキシアルキレングリコールエーテル；
（ｉｉ）式Ｒ１ＣＯＮＲ２Ｒ３およびシクロ−［Ｒ４ＣＯＮ（Ｒ５）−］（式中、Ｒ１、Ｒ２、Ｒ３、およびＲ５は、独立して、１から１２個の炭素原子を有する脂肪族および脂環式炭化水素基から選択され；Ｒ４は、３から１２個の炭素原子を有する脂肪族ヒドロカルビレン基から選択される）によって表わされるアミドであって、約１２０から約３００原子質量単位の分子量、および約７から約２０の炭素対酸素比を有するアミド；
（ｉｉｉ）式Ｒ１ＣＮ（式中、Ｒ１は、５から１２個の炭素原子を有する脂肪族、脂環式、またはアリール炭化水素基から選択される）によって表わされるニトリルであって、約９０から約２００原子質量単位の分子量、および約６から約１２の炭素対窒素比を有するニトリル；
（ｉｖ）式ＲＣｌｘ（式中、ｘは、１または２の整数から選択され；Ｒは、１から１２個の炭素原子を有する脂肪族および脂環式炭化水素基から選択される）によって表わされるクロロカーボンであって、約１００から約２００原子質量単位の分子量、および約２から約１０の炭素対塩素比を有するクロロカーボン；
（ｖ）式Ｒ１ＯＲ２（式中、Ｒ１は、６から１２個の炭素原子を有するアリール炭化水素基から選択され；Ｒ２は、１から４個の炭素原子を有する脂肪族炭化水素基から選択される）によって表わされるアリールエーテルであって、約１００から約２５０原子質量単位の分子量、および約４から約２０の炭素対酸素比を有するアリールエーテル；
（ｖｉ）式ＣＦ３Ｒ１（式中、Ｒ１は、約５から約１５個の炭素原子を有する脂肪族および脂環式炭化水素基から選択される）によって表わされる１，１，１−トリフルオロアルカン；および
（ｖｉｉ）式Ｒ１ＯＣＦ２ＣＦ２Ｈ（式中、Ｒ１は、約５から約１５個の炭素原子を有する脂肪族および脂環式炭化水素基から選択される）によって表わされるフルオロエーテル；
（ｖｉｉｉ）式Ｉ、ＩＩ、およびＩＩＩ：
【化１６】
2005535755.tif 000016
（式中、Ｒ１からＲ８は、独立して、水素、線状、分枝状、環式、二環式、飽和および不飽和ヒドロカルビル基から選択される）によって表わされる化合物よりなる群から選択されるラクトンであって、炭素対エステル官能基カルボニル酸素比が、約５から約１５であり、分子量が、約８０から約３００原子質量単位であるラクトン；
（ｉｘ）一般式Ｒ１ＣＯ２Ｒ２（式中、Ｒ１およびＲ２は、独立して、線状および環式、飽和および不飽和アルキルおよびアリール基から選択される）によって表わされるエステルであって、約８０から約５５０原子質量単位の分子量、および約５から約１５の炭素対エステル官能基カルボニル酸素比を有するエステル；および
（ｘ）環状構造において接合されている反復単位−（ＣＨ２−ＣＨ２−Ｙ）ｎ−（式中、Ｙは、ヘテロ原子、例えば酸素、窒素、または硫黄であり、ｎは２よりも大きい）を有するクラウン化合物；
（ｘｉｉ）環状構造において連結されている、式ＩＶ：
【化１７】
2005535755.tif 000017
（式中、各Ｒ基は、独立して、水素と、または１０個までの炭素原子を有する線状、分枝状、環式、二環式、飽和および不飽和ヒドロカルビル基とから選択され、ｎは、６、７、または８に等しい）によって表わされる反復単位を有するシクロデキストリン；
（ｘｉｉｉ）環状構造において連結されている、式Ｖ：
【化１８】
2005535755.tif 000018
（式中、各Ｒ１およびＲ２基は、独立して、水素、１０個までの炭素原子を有する線状、分枝状、環式、二環式、飽和および不飽和ヒドロカルビル基から選択され、ｎ＝４、５、６、７、または８である）によって表わされる反復単位を有するカリックスアレーン
よりなる群から選択される少なくとも１つの添加剤を、前記圧縮冷却および／または空調装置に添加する工程を含むことを特徴とする方法。
［１１］  ［２］、［３］または［５］に記載の組成物を凝縮させる工程、およびその後、冷却される物体の近傍で前記組成物を蒸発させる工程を含むことを特徴とする、冷却の生成方法。
［１２］  加熱される物体の近傍で［２］、［３］または［５］に記載の組成物を凝縮させる工程、およびその後、前記組成物を蒸発させる工程を含むことを特徴とする、熱の生成方法。
［１３］  （ｉ）式Ｒ１［（ＯＲ２）ｘＯＲ３］ｙによって表わされるポリオキシアルキレングリコールエーテルにおいて、ｘは、１または２の整数から選択され、ｙは１であり、Ｒ１およびＲ３は、独立して、水素と、１から４個の炭素原子を有する脂肪族炭化水素基とから選択され、Ｒ２は、３個の炭素原子を有する脂肪族ヒドロカルビレン基から選択され、前記ポリオキシアルキレングリコールエーテルが、約１００から約２５０原子質量単位の分子量、および約２．５から約４．０の炭素対酸素比を有し；
（ｉｉ）前記アミドが、約１２０から約２５０原子質量単位の分子量、および約７から約１６の炭素対酸素比を有し；
（ｉｉｉ）式Ｒ１ＣＮによって表わされるニトリルにおいて、Ｒ１は、８から１０個の炭素原子を有する脂肪族および脂環式炭化水素基から選択され、前記ニトリルが、約１２０から約１４０原子質量単位の分子量、および約８から約９の炭素対窒素比を有し；
（ｉｖ）前記クロロカーボンが、約１２０から１５０原子質量単位の分子量、および約６から約７の炭素対塩素比を有し；かつ
（ｖ）前記アリールエーテルが、約７から約１０の炭素対酸素比を有する
ことを特徴とする［１］、［２］、［３］、［４］または［５］に記載の組成物。
［１４］  （ｉ）式Ｒ１［（ＯＲ２）ｘＯＲ３］ｙによって表わされるポリオキシアルキレングリコールエーテルにおいて、ｘは、１または２の整数から選択され、ｙは１であり、Ｒ１およびＲ３は、独立して、水素と、１から４個の炭素原子を有する脂肪族炭化水素基とから選択され、Ｒ２は、３個の炭素原子を有する脂肪族ヒドロカルビレン基から選択され、前記ポリオキシアルキレングリコールエーテルが、約１００から約２５０原子質量単位の分子量、および約２．５から約４．０の炭素対酸素比を有し；
（ｉｉ）前記アミドが、約１２０から約２５０原子質量単位の分子量、および約７から約１６の炭素対酸素比を有し；
（ｉｉｉ）式Ｒ１ＣＮによって表わされるニトリルにおいて、Ｒ１は、８から１０個の炭素原子を有する脂肪族および脂環式炭化水素基から選択され、前記ニトリルが、約１２０から約１４０原子質量単位の分子量、および約８から約９の炭素対窒素比を有し；
（ｉｖ）前記クロロカーボンが、約１２０から１５０原子質量単位の分子量、および約６から約７の炭素対塩素比を有し；かつ
（ｖ）前記アリールエーテルが、約７から約１０の炭素対酸素比を有することを特徴とする［８］、［９］または［１０］に記載の方法。
［１５］  （ｉ）式Ｒ１［（ＯＲ２）ｘＯＲ３］ｙによって表わされるポリオキシアルキレングリコールエーテルにおいて、ｘは、１または２の整数から選択され、ｙは１であり、Ｒ１およびＲ３は、独立して、水素と、１から４個の炭素原子を有する脂肪族炭化水素基とから選択され、Ｒ２は、３個の炭素原子を有する脂肪族ヒドロカルビレン基から選択され、前記ポリオキシアルキレングリコールエーテルが、約１００から約２５０原子質量単位の分子量、および約２．５から約４．０の炭素対酸素比を有し；
（ｉｉ）前記アミドが、約１２０から約２５０原子質量単位の分子量、および約７から約１６の炭素対酸素比を有し；
（ｉｉｉ）式Ｒ１ＣＮによって表わされるニトリルにおいて、Ｒ１は、８から１０個の炭素原子を有する脂肪族および脂環式炭化水素基から選択され、前記ニトリルが、約１２０から約１４０原子質量単位の分子量、および約８から約９の炭素対窒素比を有し；
（ｉｖ）前記クロロカーボンが、約１２０から１５０原子質量単位の分子量、および約６から約７の炭素対塩素比を有し；かつ
（ｖ）前記アリールエーテルが、約７から約１０の炭素対酸素比を有することを特徴とする［１１］または［１２］に記載の方法。
［１６］  式Ｒ１［（ＯＲ２）ｘＯＲ３］ｙによって表わされるポリオキシアルキレングリコールエーテルにおいて、ｘは、１または２の整数から選択され、ｙは１であり、Ｒ１およびＲ３は、独立して、水素と、１から４個の炭素原子を有する脂肪族炭化水素基とから選択され、Ｒ２は、３個の炭素原子を有する脂肪族ヒドロカルビレン基から選択され、前記ポリオキシアルキレングリコールエーテルが、約１２５から約２５０原子質量単位の分子量、および約２．５から４．０の炭素対酸素比を有することを特徴とする［１］、［２］、［３］、［４］または［５］に記載の組成物。
［１７］  式Ｒ１［（ＯＲ２）ｘＯＲ３］ｙによって表わされるポリオキシアルキレングリコールエーテルにおいて、ｘは、１または２の整数から選択され、ｙは１であり、Ｒ１およびＲ３は、独立して、水素と、１から４個の炭素原子を有する脂肪族炭化水素基とから選択され、Ｒ２は、３個の炭素原子を有する脂肪族ヒドロカルビレン基から選択され、前記ポリオキシアルキレングリコールエーテルが、約１２５から約２５０原子質量単位の分子量、および約２．５から４．０の炭素対酸素比を有することを特徴とする［８］、［９］または［１０］に記載の方法。
［１８］  式Ｒ１［（ＯＲ２）ｘＯＲ３］ｙによって表わされるポリオキシアルキレングリコールエーテルにおいて、ｘは、１または２の整数から選択され、ｙは１であり、Ｒ１およびＲ３は、独立して、水素と、１から４個の炭素原子を有する脂肪族炭化水素基とから選択され、Ｒ２は、３個の炭素原子を有する脂肪族ヒドロカルビレン基から選択され、前記ポリオキシアルキレングリコールエーテルが、約１２５から約２５０原子質量単位の分子量、および約２．５から４．０の炭素対酸素比を有することを特徴とする［１１］または［１２］に記載の方法。
［１９］  前記アミドが、式シクロ−［（ＣＲ６Ｒ７）ｎＣＯＮ（Ｒ５）−］（式中、ｎは、３から５の整数から選択され、Ｒ６およびＲ７は、水素であるか、またはｎメチレン単位のうちの単一飽和炭化水素基を含有し、Ｒ５は、１から１２個の炭素原子を含有する飽和炭化水素基から選択され、前記アミドが、約１６０から約２５０原子質量単位の分子量、および約７から約１６の炭素対酸素比を有する）によって表わされることを特徴とする［１］、［２］、［３］、［４］または［５］に記載の組成物。
［２０］  前記アミドが、式シクロ−［（ＣＲ６Ｒ７）ｎＣＯＮ（Ｒ５）−］（式中、ｎは、３から５の整数から選択され、Ｒ６およびＲ７は、水素であるか、またはｎメチレン単位のうちの単一飽和炭化水素基を含有し、Ｒ５は、１から１２個の炭素原子を含有する飽和炭化水素基から選択され、前記アミドが、約１６０から約２５０原子質量単位の分子量、および約７から約１６の炭素対酸素比を有する）によって表わされることを特徴とする［８］、［９］または［１０］に記載の方法。
［２１］  前記アミドが、式シクロ−［（ＣＲ６Ｒ７）ｎＣＯＮ（Ｒ５）−］（式中、ｎは、３から５の整数から選択され、Ｒ６およびＲ７は、水素であるか、またはｎメチレン単位のうちの単一飽和炭化水素基を含有し、Ｒ５は、１から１２個の炭素原子を含有する飽和炭化水素基から選択され、前記アミドが、約１６０から約２５０原子質量単位の分子量、および約７から約１６の炭素対酸素比を有する）によって表わされることを特徴とする［１１］または［１２］に記載の方法。
［２２］  装置に、［１］、［２］、［３］、［４］または［５］に記載の組成物を添加する工程を含むことを特徴とする、圧縮冷却装置に添加剤を送達する方法。
［２３］  圧縮冷却および／または空調装置に、［１］、［２］、［３］、［４］または［５］に記載の組成物を添加する工程を含むことを特徴とする、圧縮冷却および／または空調装置における沈積物および塞栓の減少方法。